(57)【特許請求の範囲】
【請求項１】
消火薬剤圧し出し用の加圧ガスを内蔵した消火器であって、該消火器の一部には、容器内のガスが漏出した際に検知材料が漏出ガスと接触して発色又は変色することによりガス漏れを表示する表示室を有した表示手段を有するとともに、該表示手段が導通する容器と表示室との間に、小型ガスボンベ内のガスが漏れて容器内圧を上昇させた際にのみガスを通過させる隔膜が介在されていることを特徴とした加圧式消火器。
【請求項２】
容器と表示室との導通部には容器内の消火薬剤が表示室内の検知材料に接触するのを阻止するための微細孔を有する隔膜が形成されているものであるところの請求項１に記載の加圧式消火器。
【請求項３】
検知材料は液体であって、これを白色の無機あるいは有機の担体に保持させるようにしたものである請求項１に記載の加圧式消火器。
【発明の詳細な説明】
【０００１】
【発明の属する技術分野】
本発明は、加圧ガスにより容器内の消火薬剤を圧し出すようにした加圧式消火器の改良に関し、容器内の加圧用圧力ガスの漏れによる緊急時の消火器の使用不能をなくし、消火器の信頼性を向上することを目的とする。
【０００２】
【従来の技術】
従来公知の加圧式消火器は図３に示したように、有底の容器本体１と、容器本体１の開口部に気密に嵌め込まれるところの、上部に操作ハンドル３を取り付けたヘッド部２とからなり、該ヘッド部２には容器本体１に嵌合するキャップ４の下側に向けて内部の消火薬剤を放射ノズル６により外部に放射するための消火薬剤圧し出し管５と、容器本体１内に圧力ガスを圧送して内部の消火薬剤を上記した消火薬剤圧し出し管５を通じて外部に送り出すためのガス放出管７とが取り付けられ、さらに該ガス放出管７を通じて容器本体１内に圧力ガスを放出するための、開口部に薄い金属封板を施した小型ガスボンベ８が取り付けられている。
【０００３】
さらに該小型ガスボンベ８の開口部を密封した金属封板に臨ませて、前記した操作ハンドル３を下方に操作することにより先端を尖らせたキリ９を下方に移動させて金属封板を破封し、内部の圧力ガスを放出させ、この圧力ガスを前記したガス放出管７を介して容器本体１内に圧送するようになっており、上記した消火薬剤圧し出し管５、ガス放出管７、小型ガスボンベ８をそれぞれ容器本体１内に装入して内蔵させた状態にてキャップ４により容器本体１の開口部に気密に取り付けられ、消火器の使用時にこの小型ガスボンベの開口部に施された薄い金属封板を破封してガスを噴出させて内部に充填された消火薬剤を放射ノズル６により外部に放射するように構成されている。
【０００４】
また上記した小型ガスボンベを設けずに、容器本体１内には消火薬剤を充填すると共に該消火薬剤の加圧圧し出しのための圧力ガスを蓄圧させた構造の、所謂蓄圧式のものもある。  さらに二酸化炭素ガスと接触したときに反応変色するガス検出管を、少なくともその一部を容器本体内に臨ませるとともに、透明な保護カバーを介して外部から目視可能とした使用可否識別装置を加圧式消火器の一部に取り付けるようにしたものも知られている（実開昭６１−１９１０５９号公報参照）。
【０００５】
【発明が解決しようとする課題】
しかしながら、上記した従来の加圧式消火器にあっては、製造時には必要ガス圧およびガス漏れを検査して出荷し、また設置後においても自然状態でのガス漏れによる機能低下の危険は殆どみられないものの、長期間にわたる経時的設置により、なかには封板部分の腐食が進行して僅かずつのガス漏れによる機能低下を生ずるものがあり、誤操作や悪戯など人為的原因によるものを含めると、緊急時の使用に備えて十分な信頼性を確保するのが難しい。  その点では前記した使用可否識別装置を取り付けるようにしたものが便利ではあるが、これは消火器本体内に充填される加圧ガスが二酸化炭素を用いる場合に限られるばかりでなく、ガス検出管を用いるものであるために二酸化炭素ガスと接触しても変色が必ずしも十分ではなく誤認が多い。
【０００６】
【課題を解決するための手段】
そこで本発明にあっては、上記した従来技術における種々の課題を解決し、人為的原因によるものを含めて機能低下をなくし消火器の信頼性をより一層十分に確保することを目的とするものであって、具体的には消火薬剤圧し出し用の加圧ガスを内蔵した消火器であって、該消火器の一部には、容器内のガスが漏出した際に検知材料が漏出ガスと接触して発色又は変色することによりガス漏れを表示する表示室を有した表示手段を有するとともに、該表示手段が導通する容器と表示室との間に、小型ガスボンベ内のガスが漏れて容器内圧を上昇させた際にのみガスを通過させる隔膜が介在されていることを特徴とした加圧式消火器に関する。
【０００８】
上記の構成において、設置した消火器内のガス漏れが生じると、漏れたガスが導通部から表示室内に入り込み、表示室内の検知材料に接触する。  ガスと接触した検知材料は化学反応により次第に発色又は変色し、この発色又は変色状態を外部から視認してガス漏れの有無を簡単に確認し、機能低下したものであるか否かを常時一目瞭然に確認することができ、これによって消火器の信頼性を維持する。
【０００９】
【発明の実施の形態】
以下において本発明の具体的内容を図１の実施例をもとに説明すると、１１は消火器の容器本体、１２は消火器本体１の上部開口部に気密に取り付けられるヘッド部をあらわす。  ヘッド部１２は上方に操作ハンドル１３を有するとともに、下部には容器本体１１の開口部に螺入固定させる上部キャップ１４が設けられ、しかも該上部キャップ１４には表面をガラスあるいは樹脂材などの透明板１７により覆われた表示室１５が、上部キャップ１４内に掘削して形成され、しかもその透明板１７の表面が上部キャップ１４の上面に露出した状態にて形成されている。
【００１０】
さらに該表示室１５は上部キャップ１４の下面側、すなわち容器本体１１内に通ずる導通部１９により容器本体１１内に通じており、しかも導通部１９寄りの部分には隔膜１６が形成され、しかも該隔膜１６と透明板１７との間には検知材料１８が充填されている。  隔膜１６は細かい繊維からなり気体は通過させるが消火薬剤の通過を阻止することができる性質のもの、例えば約１８０ミクロン厚の紙等、あるいは多孔質のプラスチックや無機シート等が用いられている。
【００１１】
一方検知材料１８は、容器内のガスが漏出した際に漏出ガスと接触して化学反応により発色又は変色を伴うものであれば格別種類を問わないが、例えばヒドラジン、クロム酸、重クロム酸カリウム、５酸化ヨウ素、３塩化チタンなどの使用が考えられる。  これらの発色または変色剤は、小型ガスボンベ内に充填使用される加圧ガスの種類によって発色または変色の色が異なるが、例えばヒドラジンは炭酸ガス反応して紫色を発色し、またクロム酸や重クロム酸カリウムは炭化水素と反応して緑褐色を発色する。
【００１２】
さらに５酸化ヨウ素は芳香族炭化水素と反応して茶色になり、３塩化チタンは酸素と反応して黒色から白色に変色する。  その他酸や塩基に対する指示薬などによる色変化を利用することもできる。  上記した薬剤は、これらが液体である場合においては白色の無機あるいは有機の担体に保持させて用い、また固体である場合にはそのままか又は白色の担体と混合して用いることができる。  なお上記した構成以外の消火薬剤圧し出し管やガス放出管、あるいは開口部に薄い金属封板を施した小型ガスボンベおよび該小型ガスボンベの金属封板を破封するためのキリ等、容器本体１１内に装入される部分の各構造については図３にあらわした従来例の加圧消火器と同様であるであるために説明を割愛する。
【００１３】
上記した図１に記載の構成において、容器本体１１内には一定量の消火薬剤が充填されており、通常は内圧が常圧に近く空気が満たされている。  消火器の設置時において何らかの事故により小型ガスボンベからガスが容器本体１１内に漏れ出すと、ガスは容器本体１１内から導通部１９を通って表示室１５内に入り込み、隔膜１６を通過する際に拡散された状態で検知材料１８に接触し、検知材料１８と反応して発色又は変色させる。
【００１４】
また図２には本発明の別の実施例があらわされている。  これは表示室２０を消火器の容器本体１１における上部キャップ１４の脇に突出させたものであり、少なくとも表面側は内部が透視可能であるように透明に構成される。  該表示室２０は、その底部を容器本体１１の一部に開設した穴を利用して容器本体１１の内部に通ずる導通部２３により導通させ、しかも該導通部２３の出口付近には薄い隔膜２１が形成される。
【００１５】
この隔膜２１はガラス薄膜からなり、通常はガスを通過させることがなく、容器本体１１内の通常の内圧よりも約０．５Ｋｇ／平方センチメートル以上の圧力に達したとき破壊する程度の強度を有し、その周辺部をエポキシ接着剤により表示室２０の内面に接着シールしてなり、しかもその上方には図１の場合と同様の検知材料２２が充填されている。
【００１６】
なお前記した表示室１５については、図１のように上部キャップ１４内に掘削して形成し、あるいは図２のように容器本体１１における上部キャップ１４の脇に突出させて設けたりする構造のみに限られるものではなく、円形または角形などのカプセル状にしたものを消火器の上部キャップ１４の表面上、あるいは容器本体１１の側面などに取り付け、しかも容器本体１１の内部と導通させる構造としてもよい。
【００１７】
【実施例１】
本実施例においては図１にあらわしたのと同様の汎用の１０型消火器を用い、加圧源として炭酸ガスボンベを用い、検知材料１８としてヒドラジンをシリカ担体に付着させたものを用いた。  小型ガスボンベから炭酸ガスが漏れ出すと、炭酸ガスは導通部１９を通って、巻き込んだ消火薬剤粒子を隔膜１６により停止させるとともに、該隔膜１６により拡散された状態にて検知材料１８であるヒドラジンに接触し、これと反応して紫色に変色した。
【００１８】
【実施例２】
本実施例においては実施例１と同様の消火器と検知材料とを用い、圧力源としてアルゴンガス９０パーセントの主成分とし、およびこれに化学的反応により着色する炭酸ガス１０パーセントを混合した小型ガスボンベを用い、しかも隔膜１６として細孔径１ミクロンのミリポアフィルターを用いて同様の実験をおこなった結果、漏出したガスのうち炭酸ガス成分が検知材料１８に接触して反応し、実施例１の場合と同様の紫色に変色した。
【００１９】
【実施例３】
本実施例においては、図２にあらわしたのと同様の汎用の１０型消火器と検知材料を用い、加圧源として炭酸ガスボンベを用いて実験をおこなった。  結果は小型ガスボンベ内から炭酸ガスが漏れて、容器本体１１内の圧力が通常の内圧よりも約０．５Ｋｇ／平方センチメートル以上に上昇したところで薄い隔膜２１が破壊され、炭酸ガス成分が表示室２０内の検知材料２２に接触して紫色に変色した。
【００２０】
【発明の効果】
本発明は上記した通り、消火薬剤圧し出し用の加圧ガスを内蔵した消火器であって、該消火器の一部には、容器内のガスが漏出した際に検知材料が漏出ガスと接触して発色又は変色することによりガス漏れを表示する表示室を有した表示手段を有するとともに、該表示手段が導通する容器と表示室との間に、小型ガスボンベ内のガスが漏れて容器内圧を上昇させた際にのみガスを通過させる隔膜が介在されているものであるために、消火器の設置後経時的に加圧ガスが漏れ出しても漏出ガスが検知材料と接触して発色または変色するために、この発色または変色状況を外部から容易に視認でき、これによって消火器の機能低下の様子を一目瞭然に確認することができ、設置消火器の信頼性を十分に高めることができるほか、とくに容器と表示室との導通部、あるいは表示室の検知材料充填部との間には容器内の消火薬剤が表示室内の検知材料に接触するのを阻止するための微細孔を有してガスのみを通過させ、あるいはガスをも通過させることがなく、容器本体内の通常圧よりも内圧が上昇（約０．５Ｋｇ／平方センチメートル以上の圧力上昇）時に破壊するガラス薄膜製の隔膜が形成されている場合においては、検知材料に消火薬剤が混入するのを防ぎ、ガス漏れに際しての十分な発色または変色を促進することができ、これによってより鮮明な目視を可能とすることができる。
【図面の簡単な説明】
【図１】本発明の一実施例であるところの一部を断面であらわした消火器の要部側面図。
【図２】本発明の別の実施例をあらわした消火器の要部側面図。
【図３】従来公知の加圧消火器をあらわした縦断面図。
【符号の説明】
１１      容器本体
１２      ヘッド部
１３      操作ハンドル
１４      上部キャップ
１５      表示室
１６      隔膜
１７      透明板
１８      検知材料
１９      導通部
２０      表示室
２１      隔膜
２２      検知材料
２３      導通部
【図１】
0004061520.tif 000002
【図２】
0004061520.tif 000003
【図３】
0004061520.tif 000004